(57)【要約】      （修正有）【課題】関係者が地下道等から外部に脱出する際に容易に開錠することができる地下道等の出入り口部の施錠装置を提供する。【解決手段】内部から開錠するには、受金ユニット２のスリット２０から延びる係止手段３０の把持部４０を把持して補助部材３６を固定位置から解除位置に移動させると共に摺動部材６を収容位置から開放位置に移動させて、摺動部材６の第二の切欠部２６を第一の切欠部１８に整合させ、受け棒部５０を回転軸にして錠受け部材８を回転し被収容部５４を第一の切欠部１８及び第二の切欠部２６から取り出し、次いで、錠受け部材８の受け棒部５０を貫通孔１６から抜き出す。これにより、錠受け部材８の受け棒部５０が取り除かれ施錠装置１０２は開錠される。【選択図】図５
2005171590.tif 000002
【特許請求の範囲】
【請求項１】
横断面が略コの字型の基台、該基台の内側に取り付けられて該基台に対して開放位置と収容位置との間を摺動自在な摺動部材、及び該基台に対して着脱自在な錠受け部材とを含み、
該基台は該錠受け部材の一端部が挿通する両側壁と底壁とを有し、該両側壁の一方には第一の切欠部及び該基台の長手方向に延びるスリットが設けられており、
該摺動部材には、それが該開錠位置に移動された際に該第一の切欠部と整合する第二の切欠部と、該摺動部材の摺動方向に対して略直角に解除位置と固定位置との間を摺動自在な係止手段とが設けられており、該係止手段は該スリットから延び出す把持部を有し、
該錠受け部材は、該両側壁の夫々に形成された貫通孔に挿通される受け棒部、該受け棒部の一端から垂下する連絡棒部、該連絡棒部の下端から内側に折れ曲がる被収容部、及び該被収容部の内側端から略直角に折れ曲がる抜け防止部とを含み、
該錠受け部材を該基台に装着する際には、該錠受け部材の該受け棒部を該両側壁の夫々に形成された貫通孔に挿通し、該受け棒部を回転軸にして該錠受け部材を回転し該錠受け部材の該被収容部を該第一の切欠部及び該第一の切欠部と整合された該第二の切欠部に収容し、次いで、該把持部を把持して該摺動部材を該開放位置から該収容位置に移動させると共に該係止手段を該解除位置から該固定位置に移動させて、該係止手段を該基台に設けられた被係止部に係止する、
該錠受け部材を該基台から離脱する際には、該把持部を把持して該係止手段を該固定位置から該解除位置に移動させると共に該摺動部材を該収容位置から該開放位置に移動させて、該第二の切欠部を該第一の切欠部に整合させ、該受け棒部を回転軸にして該錠受け部材を回転し該被収容部を該第一の切欠部及び該第二の切欠部から取り出し、次いで、該錠受け部材の受け棒部を貫通孔から抜き出す、
ことを特徴とする施錠装置の受金ユニット。
【請求項２】
該係止手段は該バネ手段によって該固定位置方向に押圧せしめられている、施錠装置の受金ユニット。
【発明の詳細な説明】
【技術分野】
【０００１】
本発明は、道路等の地上面に形成された、電力ケーブルや通信ケーブル等が収容される地下道等の出入り口部における施錠装置に係り、特に錠を受けて施錠状態にする受金ユニットに関するものである。
【背景技術】
【０００２】
従来より、電力ケーブルや通信ケーブル等が収容される地下道等には、道路、歩道、植え込みなどの地上面に対して所々に出入り口部が設けられている。この出入り口部はグレーチング蓋などで閉塞され、それらの蓋は施錠装置によって、外部から施錠或いは開錠できるように構成されている。この施錠装置は通常、施錠されており、地上面から地下道などに関係の無い第三者が侵入できないように構成されている。一方で、この施錠装置は作業員や管理員など（以下「関係者」という。）が地下道などに入って作業を行っている際に、地下道等の中で火災等が発生した時には、関係者が地下道等の内側から開錠して、地下道等から脱出できるように構成されている。
【０００３】
上述したような施錠装置はグレーチング蓋の取り付け部に付設される錠ユニットと、地下道等の出入り口部の側壁に取り付けられる受金ユニットとを具備している。錠ユニットは鍵によって可動するデッドボルトを有する。受金ユニットの典型例は下記特許文献１に開示されている。かかる受金ユニットは横断面が略コの字型の基台と、基台に対して着脱自在な錠受け部材と、基台に対して摺動可能な止め部材とを具備している。基台の両側壁には夫々に貫通孔が設けられており、両側壁の一方には切欠部と、切欠部の周縁に設けられた、基台に対して摺動自在な止め部材と、止め部材の端部が外方に動くのを規制する突起部とが設けられている。錠受け部材は両側壁の夫々に形成された貫通孔に挿通される受け棒部、受け棒部の一端から垂下する連絡棒部、連絡棒部の下端から内側に折れ曲がる被収容部、及び被収容部の内側端から緩やかに折れ曲がる把持部とを具備している。上述された錠ユニットと受金ユニットとで、グレーチング蓋が施錠した際には、錠ユニットのデットボルトの上方に受金ユニットの基台に装着された錠受け部材の受け棒部が配置されるので、これによりグレーチング蓋が施錠される。このように構成された施錠装置では、関係者が外部から地下道等に入る際には、鍵で錠ユニットのデットボルトを可動させて施錠装置を開錠し、関係者が地下道等から外部に脱出する際には、止め部材を基台に対して摺動させて突起部の止め部材に対する規制を開放し、次に、受け棒部を回転軸にして錠受け部材を回転し錠受け部材の被収容部を切欠部から取り出して、後に、錠受け部材の受け棒部を両側壁の貫通孔から抜き出して施錠装置を開錠している。
【０００４】
【特許文献１】実公平３−１２８２６号公報
【発明の開示】
【発明が解決しようとする課題】
【０００５】
従来型の施錠装置の受金ユニットにおいては、例えば、施錠装置を有する蓋がグレーチング蓋と呼ばれるような孔や隙間のある構成の場合、関係のない第三者が、蓋の孔や隙間などから針金等を差し込んで、この針金等を基台の留め具及び錠受け部材に作用させることによって、基台から受け棒を離脱させて施錠装置を開錠し、地下道等内に侵入することが可能であり、防犯及び安全上の問題点を有していた。
【０００６】
本発明は上記事実に鑑みてなされたものであり、その主たる技術課題は関係者が地下道等から外部に脱出する際においては容易に開錠することができるにもかかわらず、関係のない第三者が外部から地下道等に侵入しようと試みる際においては開錠を防止することができる、新規かつ改良された施錠装置の受金ユニットを提供することである。
【課題を解決するための手段】
【０００７】
本発明によれば、上記主たる技術課題を達成する施錠装置の受金ユニットとして、横断面が略コの字型の基台、該基台の内側に取り付けられて該基台に対して開放位置と収容位置との間を摺動自在な摺動部材、及び該基台に対して着脱自在な錠受け部材とを含み、
該基台は該錠受け部材の一端部が挿通する両側壁と底壁とを有し、該両側壁の一方には第一の切欠部及び該基台の長手方向に延びるスリットが設けられており、
該摺動部材には、それが該開錠位置に移動された際に該第一の切欠部と整合する第二の切欠部と、該摺動部材の摺動方向に対して略直角に解除位置と固定位置との間を摺動自在な係止手段とが設けられており、該係止手段は該スリットから延び出す把持部を有し、
該錠受け部材は、該両側壁の夫々に形成された貫通孔に挿通される受け棒部、該受け棒部の一端から垂下する連絡棒部、該連絡棒部の下端から内側に折れ曲がる被収容部、及び該被収容部の内側端から略直角に折れ曲がる抜け防止部とを含み、
該錠受け部材を該基台に装着する際には、該錠受け部材の該受け棒部を該両側壁の夫々に形成された貫通孔に挿通し、該受け棒部を回転軸にして該錠受け部材を回転し該錠受け部材の該被収容部を該第一の切欠部及び該第一の切欠部と整合された該第二の切欠部に収容し、次いで、該把持部を把持して該摺動部材を該開放位置から該収容位置に移動させると共に該係止手段を該解除位置から該固定位置に移動させて、該係止手段を該基台に設けられた被係止部に係止する、
該錠受け部材を該基台から離脱する際には、該把持部を把持して該係止手段を該固定位置から該解除位置に移動させると共に該摺動部材を該収容位置から該開放位置に移動させて、該第二の切欠部を該第一の切欠部に整合させ、該受け棒部を回転軸にして該錠受け部材を回転し該被収容部を該第一の切欠部及び該第二の切欠部から取り出し、次いで、該錠受け部材の受け棒部を貫通孔から抜き出す、
ことを特徴とする施錠装置の受金ユニットが提供される。
【０００８】
該係止手段は該バネ手段によって該固定位置方向に押圧されているのが好適である。
【発明の効果】
【０００９】
本発明の施錠装置の受金ユニットにおいては、関係者が地下道等から脱出する際において、内部から容易に開錠することができるにもかかわらず、関係のない第三者が外部から地下道等に侵入しようと試みる際においては開錠を防止することができる。
【発明を実施するための最良の形態】
【００１０】
以下、添付図面を参照して、本発明にかかる施錠装置の受金ユニットの最良の実施の形態について更に詳述する。
【００１１】
図１には、地下道等の所々に設けられている出入り口部を閉塞するグレーチング蓋１００が図示されている。かかるグレーチング蓋１００は施錠装置１０２によって施錠されている。図２乃至図４に図示する施錠装置１０２の典型例は、グレーチング蓋１００の取り付け部１０４に付設される錠ユニット１０６と、地下道等の出入り口部の側壁に取り付けられる受金ユニット２とを具備している。錠ユニット１０６は鍵によって可動するデッドボルト１０８を有する。
【００１２】
図２乃至図７を参照して説明すると、全体を番号２で示す受金ユニットは、横断面が略コの字型の基台４、基台４の内側に取り付けられた摺動部材６、及び基台４に対して着脱自在な錠受け部材８とを含んでいる。基台４は、地下道等の出入り口部の側壁に固定される主壁１０、主壁１０の両側端から延び出る両側壁１２、及び主壁１０の下端と両側壁１２の両下端との間に設けられた底壁１４を備えている。両側壁１２の夫々には上端部に貫通孔１６が設けられており、両側壁１２の一方には貫通孔１６よりも下方に第一の切欠部１８及び基台４の長手方向に延びるスリット２０が形成されており、両側壁１２の他方には後述する係止手段が係止される被係止部２２が設けられている。図示の実施形態における摺動部材６には、案内溝２４が複数個（図５においては二個）と第二の切欠部２６とが設けられており、この案内溝２４によって摺動部材６は収容位置（図６（a）に図示する位置）と開放位置（図６（ｂ）に図示する位置）との間を基台４の長手方向に摺動自在にされている。摺動部材６が開放位置（図６（ｂ）に図示する位置）に配置された際には、第二の切欠部２６は基台４の第一の切欠部１８と整合される。また、摺動部材６には、その底部２８に摺動部材６の摺動方向に対して略垂直な方向に解除位置（図６（ｂ）に図示する位置）と固定位置（図６（a）に図示する位置）との間を摺動自在な係止手段３０が設けられている。図示の実施形態における係止手段３０は、摺動溝３２を介して摺動部材６の底部２８に取り付け部材３４によって取り付けられた補助部材３６、補助部材３６の延出壁３８に付設されたＬ時型の把持部４０、摺動部材６の底部２８に固定された固定部材４２、把持部４０と補助部材３６の延出壁３８とを締結して固定部材４２の付属壁４４を挿通するピン４６、及び延出壁３８と付属壁４４との間に設けられてピン４６が挿通するバネ手段４８とを具備しており、係止手段３０の補助部材３６がバネ手段４８によって固定位置（図６（a）に図示する位置）方向に押圧されている。把持部４０はスリット２０から延出している。錠受け部材８は、基台４の両側壁１２の夫々に形成された貫通孔１６に挿通される受け棒部５０、受け棒部５０の一端から垂下する連絡棒部５２、連絡棒部５２の下端から内側に折れ曲がり基台４の第一の切欠部１８と摺動部材６の第二の切欠部２６との間に収容される被収容部５４、及び被収容部５４の内側端から略直角に折れ曲がる抜け防止部５６とを含んでいる。
【００１３】
錠受け部材８を基台４及び摺動部材６に装着する際には、錠受け部材８の受け棒部５０を貫通孔１６に挿通し、受け棒部５０を回転軸にして錠受け部材８を回転し錠受け部材８の被収容部５４を第一の切欠部１８及び第一の切欠部１８と整合された第二の切欠部２６に収容し、次いで、スリット２０から延び出る係止手段３０の把持部４０を把持して摺動部材６を開放位置（図６（ｂ）に図示する位置）から収容位置（図６（a）に図示する位置）に移動させると共に係止手段３０の補助部材３６を解除位置（図６（ｂ）に図示する位置）から固定位置（図６（a）に図示する位置）に移動させて、係止手段３０の補助部材３６を基台４に設けられた被係止部２２に係止させる。このようにして、錠受け部材８は基台４及び摺動部材６に装着される。
【００１４】
上述された錠ユニット１０６と受金ユニット２とでグレーチング蓋１００が施錠された状態においては、錠ユニット１０６のデットボルト１０８の上方に基台４及び摺動部材６に装着された錠受け部材８の受け棒部４６が配置され、これによってグレーチング蓋１００が施錠されている。このような状態のグレーチング蓋１００を関係者が内部から開錠して地下道等から脱出する際には、受金ユニット２におけるスリット２０から延び出る係止手段３０の把持部４０を把持して係止手段３０の補助部材３６を固定位置（図６（a）に図示する位置）から解除位置（図６（ｂ）に図示する位置）に移動させると共に摺動部材６を収容位置（図６（a）に図示する位置）から開放位置（図６（ｂ）に図示する位置）に移動させて、摺動部材６の第二の切欠部２６を第一の切欠部１８に整合させ、受け棒部５０を回転軸にして錠受け部材８を回転し錠受け部材８の被収容部５４を第一の切欠部１８及び第二の切欠部２６から取り出し、次いで、錠受け部材８の受け棒部５０を貫通孔１６から抜き出す。これによって、錠ユニット１０６のデットボルト１０８の上方に配置されていた錠受け部材８の受け棒部５０が取り除かれ、施錠装置１０２によって施錠されたグレーチン蓋１００は開錠される。このように本発明の受金ユニット２においては、関係者が地下道等の内部から外部に脱出する際においては容易に開錠することができる。
【００１５】
上述された錠ユニット１０６と受金ユニット２とで施錠されたグレーチング蓋１００を
開錠して関係のない第三者が外部から地下道等に侵入しようとしても、本発明の受金ユニット２は上述されたように構成されているので、開錠を防止することができる。
【図面の簡単な説明】
【００１６】
【図１】本発明にかかる受金ユニットを有する施錠装置によって施錠されるグレーチング蓋の典型例を示す概略図。
【図２】本発明の受金ユニットを有する施錠装置の上面図。
【図３】本発明の受金ユニットを有する施錠装置の側面図。
【図４】本発明の受金ユニットを有する施錠装置の正面図。
【図５】本発明にかかる受金ユニットの最良の実施の形態を図示する斜視図。
【図６】錠受け部材及び係止手段の摺動を図示する正面図。
【図７】本発明の受金ユニットの一部を拡大して示す部分拡大図。
【符号の説明】
【００１７】
２：受金ユニット
４：基台
６：摺動部材
８：錠受け部材
１２：両側壁
１６：貫通孔
１８：第一の切欠部
２０：スリット
２２：被係止部
３０：係止手段
４０：把持部
４８：バネ手段
５０：受け棒部
５２：連絡棒部
５４：被収容部
５６：抜け防止部
１０６：錠ユニット
１０８：デッドボルト
【図１】
2005171590.tif 000003
【図２】
2005171590.tif 000004
【図３】
2005171590.tif 000005
【図４】
2005171590.tif 000006
【図５】
2005171590.tif 000007
【図６】
2005171590.tif 000008
【図７】
2005171590.tif 000009